(57)【要約】【課題】塗布剤・充填剤の液材料を、先端のノズルから吐出させるシーラガンにおいて、液材料の吐出を停止したときに、ノズルの先端から液材料が垂れ下がって残るように生じてくる液だれを、確実に生ぜしめないようにする。【解決手段】シーラガンの吐出筒に、シリンダとこれに出入自在に嵌合するピストンとからなるポンプを、組み付け、該ポンプのピストンに連繋する作動ロッドと握り部材とを、その握り部材の回動動作によりピストンが出入動作して吸引・吐出のポンプ作動を行うよう連繋機構を介し連繋せしめ、かつ、該ポンプの、吸引・吐出口をノズルの内腔に位置せしめ、握り部材を放して液材料の吐出を停止せしめたときに、握り部材の復元回動によるポンプ作動で、ノズルの内部に、負圧または正圧が導入されるようにする。【選択図】図２８
2011189236.tif 000002
【特許請求の範囲】
【請求項１】
先端側に液材料を吐出するノズルを装備し、基端側に液材料を導入する導入管が接続する吐出筒をボディに支持せしめ、そのボディに、把持部を設けるとともに、その把持部と共に握り込める握り部材を、握り込みで把持部に沿う位置に回動し、握り込みの解放で、復元バネにより把持部から離れた位置に回動するよう軸支し、吐出筒の内部には、導入管側と吐出筒の先端側との連通を断・接制御する弁機構を、収蔵せしめ、かつ、その弁機構の開弁・閉弁の作動を、握り込みによる握り部材の回動で開弁し、握り込みの解放による握り部材の復元回動により閉弁して吐出筒先端のノズルの先端開口からの液材料の吐出を停止させるよう、握り部材の回動動作に連動せしめてなるシーラガンにおいて、吐出筒に、シリンダとこれに出入自在に嵌合するピストンとからなるポンプを、組み付け、該ポンプのピストンに連繋する作動ロッドと握り部材とを、その握り部材の回動動作によりピストンが出入動作して吸引・吐出のポンプ作動を行うよう連繋機構を介し連繋せしめ、かつ、該ポンプの、吸引・吐出口をノズルの内腔に位置せしめ、握り部材を放して液材料の吐出を停止せしめたときに、握り部材の復元回動によるポンプ作動で、ノズルの内部に、負圧または正圧が導入されるようにしたことを特徴とするシーラガンにおける液だれ防止装置。
【請求項２】
先端側に液材料を吐出するノズルを装備し、基端側に液材料を導入する導入管が接続する吐出筒をボディに支持せしめ、そのボディに、把持部を設けるとともに、その把持部と共に握り込める握り部材を、握り込みで把持部に沿う位置に回動し、握り込みの解放で、復元バネにより把持部から離れた位置に回動するよう軸支し、吐出筒の内部には、導入管側と吐出筒の先端側との連通を断・接制御する弁機構を、収蔵せしめ、かつ、その弁機構の開弁・閉弁の作動を、握り込みによる握り部材の回動で開弁し、握り込みの解放による握り部材の復元回動により閉弁するよう、握り部材の回動動作に連動せしめてなるシーラガンにおいて、吐出筒に、シリンダとこれに出入自在に嵌合するピストンとからなるポンプを、組み付け、該ポンプを、前記握り部材に対し、その握り部材が握り込まれたときの回動でピストンが押し込まれて吐出作動を行い、握り部材の握り込みが解放されたときの握り部材の復元回動で、ピストンが引き込まれて吸引作動を行うよう連繋機構を介し連繋せしめ、かつ、該ポンプの吸引・吐出口を、吐出筒の先端側のノズルの内腔に位置せしめ、握り部材の握り込みを放してノズルの先端開口からの液材料の吐出を停止せしめたときに、握り部材の復元回動によるポンプの吸引作動で、ノズル内に負圧が導入されるようにしたことを特徴とするシーラガンにおける液だれ防止装置。
【請求項３】
先端側に液材料を吐出するノズルを装備し、基端側に液材料を導入する導入管が接続する吐出筒をボディに支持せしめ、そのボディに、把持部を設けるとともに、その把持部と共に握り込める握り部材を、握り込みで把持部に沿う位置に回動し、握り込みの解放で、復元バネにより把持部から離れた位置に回動するよう軸支し、吐出筒の内部には、導入管側と吐出筒の先端側との連通を断・接制御する弁機構を、収蔵せしめ、かつ、その弁機構の開弁・閉弁の作動を、握り込みによる握り部材の回動で開弁し、握り込みの解放による握り部材の復元回動により閉弁するよう、握り部材の回動動作に連動せしめてなるシーラガンにおいて、吐出筒に、シリンダとこれに出入自在に嵌合するピストンとからなるポンプを、組み付け、該ポンプを、前記握り部材に対し、その握り部材が握り込まれたときの回動でポンプが引き込まれて吸引作動を行い、握り部材の握り込みが解放されたときの握り部材の復元回動でピストンが押し込まれて吐出作動を行うよう、連繋機構を介し連繋せしめ、かつ、該ポンプの吸引・吐出口を、吐出筒の先端側のノズルの内腔に位置せしめ、握り部材の握り込みを放して液材料の吐出を停止せしめたときに、握り部材の復元回動によるポンプの吐出作動で、ノズル内に正圧が導入されるようにしたことを特徴とするシーラガンにおける液だれ防止装置。
【請求項４】
吐出筒に付設するシリンダとこれに出入自在に嵌合するピストンとからなるポンプを、吐出筒の外周の下面側に軸芯線が吐出筒と並列するよう配位して吐出筒に組み付け支架し、該ポンプのピストンを、吐出筒の下面側に配位した連繋機構を介して握り部材に連繋し、ポンプの吸引・吐出口を吐出筒の先端側のノズルの内腔に位置せしめることを特徴とする請求項１または請求項３記載のシーラガンにおける液だれ防止装置。
【請求項５】
吐出筒に付設するシリンダとこれに出入自在に嵌合するピストンとからなるポンプを、吐出筒の外周側で上面側に、軸芯線が吐出筒と並列するよう配位して吐出筒に組み付け支架し、該ポンプのピストンを吐出筒の上面側に配位した連繋機構を介し握り部材に連繋し、ポンプの吸引・吐出口を吐出筒の先端側のノズルの内腔に位置せしめることを特徴とする請求項１または請求項２記載のシーラガンにおける液だれ防止装置。
【請求項６】
ポンプの吸引・吐出口を吐出筒の先端側のノズルの内腔に対し接続せしめる接続管の先端側を、パイプ状に形成して、ノズル内に同軸に嵌挿し、先端開口をノズル内に連通させることを特徴とする請求項１または請求項２または請求項３記載のシーラガンにおける液だれ防止装置。
【請求項７】
吐出筒の先端側に圧力調整器を組み付け、この圧力調整器を、ポンプの吸引・吐出口に接続する接続管の管路に接続して、その接続管を吐出筒先端のノズルの内腔に対し連通せしめることを特徴とする請求項１または請求項２または請求項３記載のシーラガンにおける液だれ防止装置。
【請求項８】
吐出筒に付設するシリンダとこれに出入自在に嵌合するピストンとからなるポンプを、吐出筒内に同軸状に配位し、該ポンプのシリンダの外周側を吐出筒の内周側に固定して吐出筒内に組み付け、ポンプの吸引・吐出口をノズルの内腔に対し開口させることを特徴とする請求項１記載のシーラガンにおける液だれ防止装置。
【請求項９】
吐出筒に付設するシリンダとこれに出入自在に嵌合するピストンとからなるポンプのピストンに連繋する作動ロッドに、ピストンを押し込む方向に作動さすよう付勢するバネを、握り部材の握り込みにより連繋機構を介し作動ロッドが引き抜き方向に動く作動で圧縮されるように組み付け、握り部材の握り込みの解放時に、このバネのバネ圧により握り部材が復元回動または復元移動するようにしたことを特徴とする請求項１記載のシーラガンにおける液だれ防止装置。
【請求項１０】
吐出筒に付設するシリンダとこれに出入自在に嵌合するピストンとからなるポンプのピストンに連繋する作動ロッドに、ピストンを引き出す方向に作動さすよう付勢するバネを、作動ロッドが、握り部材の握り込みにより連繋機構を介し押し込み方向に動く作動で圧縮されるように組み付け、握り部材の握り込みの解放時に該バネの圧縮されたバネ圧により握り部材が復元回動または復元移動するようにしたことを特徴とする請求項１記載のシーラガンにおける液だれ防止装置。
【請求項１１】
吐出筒に付設するシリンダとこれに出入自在に嵌合するピストンとからなるポンプを、吐出筒内に同軸状に配位し、そのポンプのシリンダと吐出筒の内周面との間に液材料の流路を形成して、シリンダを吐出筒内に組み付け、そのポンプの吸引・吐出口を、ノズルの内部の空間に対し開口し、ピストンに連繋する作動ロッドを、握り部材に対し、該握り部材の握り込みによる回動と復元回動によりピストンに吸引及び吐出の作動を行わすよう、吐出筒の外周側に配設せる連繋機構を介し連繋し、ピストンには、シリンダに対する出入動作により前記液材料の流路と導入管との連通を断・接する弁機構を組み込み、該弁機構により導入管と吐出筒の先端側との連通を断・接制御せしめることを特徴とする請求項１記載のシーラガンにおける液だれ防止装置。
【請求項１２】
吐出筒の先端側のノズルの先端に形成する先端開口の口径ｄ１を、ノズルの内径より小径となる口径に形設し、かつ、その先端開口の口径ｄ１がノズル内腔に開口せしめるポンプの吸引・吐出口の口径ｄ２に対し、ｄ１≦ｄ２の関係となるようノズルの先端開口の口径ｄ１を形設することを特徴とする請求項１または請求項２記載のシーラガンにおける液だれ防止装置。
【発明の詳細な説明】
【技術分野】
【０００１】
本発明は、塗布剤または充填剤の液材料を、吐出筒の先端のノズルの吐出口から吐出させるシーラガンにおいて、液材料の吐出を停止させたときに、ノズルの先端部に生ずる液材料の液だれを防止する手段についての改良に関する。
【背景技術】
【０００２】
塗布剤・充填剤などの液材料を、構造体の隙間・間隔に、塗着・充填する塗布・充填作業に用いられる、シーラガンと呼ばれる形態の液材料の吐出装置は、図１に示しているように、先端側に液材料を吐出するノズル１０を装備せる銃身状に形成した吐出筒１の基端側を、中空の筒状に成形された本体ボディａに接続し、この本体ボディａの内部空間に接続してある導入管３０に対し、吐出筒１を本体ボディａの内部空間を介し連通させ、そのボディａの内部に、前記導入管３０と吐出筒１先端のノズル１０との連通を断・接する弁機構２を収蔵せしめ、本体ボディａに接続する前記導入管３０の外周側に、把持部３をボディａと一体に連続させて成形して形設し、この把持部３の前面側に、把持部３と共に握り込める握り部材４を配して、この部材４の上端側を、ボディａの上面側に支軸４０により軸支して、把持部３と共に握り込むことで把持部３に沿う位置に回動し、握り込みの解放で、復元バネ（図示省略）により把持部３から離れた位置に回動するようにしておき、かつ、その握り部材４の握り込みによる回動と復元回動の回動作動で、前述のボディａの内部に収蔵せしめた弁機構２が、ボディａの内部空間と吐出筒１との間に設けた連通口を開閉するように、握り部材４を弁機構２に連繋しておいて、握り部材４を握り込む作動により、弁機構２を開いてノズル１０の先端開口１０ａから液材料を吐出させ、握り部材４の握り込みの解放で、液材料の吐出が停止するように構成してあるものである。
【０００３】
このシーラガンＡは、握り部材４を放して、液材料の吐出を停止させたときに、ノズル１０の先端部位に、液材料がつららのように垂れ下がった状態に付着して残る液だれの現象が生じてくる。
【０００４】
この、液材料の吐出を停止したときに、ノズル１０の先端に液だれとして付着して残る液材料は、放置しておくと、外気に曝されることで、次に塗布作業・充填作業を行うときには正常に使用できない性状の液材料に変性することから、吐出を停止したときに、その直後に、ノズル１０の先端から拭き取って廃棄するように処理している。
【０００５】
シーラガンには、この、液材料の吐出を停止するたびごとに行う液だれを拭き取る作業のため塗布・充填作業の作業性を悪くしている問題があり、また、液だれの廃棄により液材料の損失を招いている問題がある。
【０００６】
この液材料の吐出を停止したときに、ノズルの先端部から垂れ下がるように液材料が付着して残る液だれは、塗布剤・充填剤の液材料が、粘性のある特性のもので、付着性と凝集性が大きいことから、“切れ”が悪いことと、液材料が加圧されて吐出筒１内に送給されてくることで、弁機構２を閉じて吐出を停止させたときに、吐出筒１の液材料に残る圧力により、吐出筒１内の液材料が押し出されるようになることによるものと考えられている。
【０００７】
この対策として、図２及び図３に示しているように、吐出筒１の先端のノズル１０の先端開口１０ａに極く近い部位に、握り部材４の操作により、ボディａ内に収蔵せる弁機構２と共に開閉作動するストップ弁ｓｖを組み込み、握り部材４を放して弁機構２を閉じ液材料の吐出を停止させたときに、吐出筒１内に加圧を受けた状態で残る液材料の量を、ノズル１０の先端開口１０ａからストップ弁ｓｖまでの間の極く短い距離の間に存在するだけの小量のものとする手段、及び、図４、図５に示しているように、吐出筒１のノズル１０の筒先の先端開口１０ａに極く近い部位に、バネにより弁体をシート面に向け押し付けることで閉弁し、握り部材４の握り込みにより吐出筒１に送り込まれてくる液材料の圧力で開弁するチェッキ弁ｃｖを設け、かつ、ノズル１０の筒先の外側部位に、一対に対向して閉じ合わされる挟み板１１を、弾性材１２を介して装設しておいて、液材料がノズル１０の先端開口１０ａから吐出されているときは、その液材料の吐出圧力で、閉じ合わされた挟み板１１の対向部位が開き、液材料の吐出を停止したときに、挟み板１１が閉じ合わされて、ノズル１０の先端開口１０ａの前面において液材料を挟み切るようにしておく手段が考えられる。
【０００８】
しかし、これらの手段は、前者にあっては、液材料の吐出を停止したときに、図３において、鎖線で示しているようにノズル１０の先端部から液材料がつららのように垂れ下がった液だれの状態に付着して残る現象が依然として生じてくる。
【０００９】
これは、液材料の粘性のある特性による付着性と凝集性により、ノズル１０の先端開口１０ａからすでに吐出される液材料を吊り上げるように引き戻していることによるものと考えられる。
【００１０】
また、後者にあっても、液材料の吐出を停止したときに、ノズル１０の先端部から、液材料がつららのように垂れ下がった液だれ状態に付着してくる現象が生じてくる。後者にあっては、吐出する液材料がノズル１０の筒先の外側位置で、挟み板１１により挟み切られているが、挟み板１１の対向間隔を経てすでに吐出された液材料が図４において鎖線に示しているように、挟み板１１の外面に付着して垂れ下がるようになり、結果として液だれの現象が生じてくる。しかも、付着面となる挟み板１１の外面の面積がノズル１０の筒先の周面より広いことで、前者より量の多い液だれを生ぜしめるようになる。これらの手段は、液だれの防止をなし得ない。
【発明の概要】
【発明が解決しようとする課題】
【００１１】
塗布剤・充填剤の液材料を、先端のノズルから吐出させるシーラガンにおいて、液材料の吐出を停止したときに、ノズルの先端から液材料が垂れ下がって残るように生じてくる液だれを、確実に生ぜしめないようにすることにある。
【課題を解決するための手段】
【００１２】
上述の課題を解決するための手段として、先端側に液材料を吐出するノズルを装備し、基端側に液材料を導入する導入管が接続する吐出筒をボディに支持せしめ、そのボディに、把持部を設けるとともに、その把持部と共に握り込める握り部材を、握り込みで把持部に沿う位置に回動し、握り込みの解放で、復元バネにより把持部から離れた位置に回動するよう軸支し、吐出筒の内部には、導入管側と吐出筒の先端側との連通を断・接制御する弁機構を、収蔵せしめ、かつ、その弁機構の開弁・閉弁の作動を、握り込みによる握り部材の回動または移動で開弁し、握り込みの解放による握り部材の復元作動により閉弁して吐出筒先端のノズルの先端開口からの液材料の吐出を停止させるよう、握り部材の回動または移動動作に連動せしめてなるシーラガンにおいて、吐出筒に、シリンダとこれに出入自在に嵌合するピストンとからなるポンプを、組み付け、該ポンプのピストンに連繋する作動ロッドと握り部材とを、その握り部材の回動または移動動作によりピストンが出入動作して吸引・吐出のポンプ作動を行うよう連繋機構を介し連繋せしめ、かつ、該ポンプの、吸引・吐出口をノズルの内腔に位置せしめ、握り部材を放して液材料の吐出を停止せしめたときに、握り部材の復元作動によるポンプ作動で、ノズルの内部に、負圧または正圧が導入されるようにしたことを特徴とするシーラガンにおける液だれ防止装置を提起するものである。
また、これに併せて、先端側に液材料を吐出するノズルを装備し、基端側に液材料を導入する導入管が接続する吐出筒をボディに支持せしめ、そのボディに、把持部を設けるとともに、その把持部と共に握り込める握り部材を、握り込みで把持部に沿う位置に回動または移動し、握り込みの解放で、復元バネにより把持部から離れた位置に回動または移動するよう軸支し、吐出筒の内部には、導入管側と吐出筒の先端側との連通を断・接制御する弁機構を、収蔵せしめ、かつ、その弁機構の開弁・閉弁の作動を、握り込みによる握り部材の回動で開弁し、握り込みの解放による握り部材の復元作動により閉弁するよう、握り部材の回動または移動動作に連動せしめてなるシーラガンにおいて、吐出筒に、シリンダとこれに出入自在に嵌合するピストンとからなるポンプを、組み付け、該ポンプを、前記握り部材に対し、その握り部材が握り込まれたときの作動でピストンが押し込まれて吐出作動を行い、握り部材の握り込みが解放されたときの握り部材の復元作動で、ピストンが引き込まれて吸引作動を行うよう連繋機構を介し連繋せしめ、かつ、該ポンプの吸引・吐出口を、吐出筒の先端側のノズルの内腔に位置せしめ、握り部材の握り込みを放してノズルの先端開口からの液材料の吐出を停止せしめたときに、握り部材の復元作動によるポンプの吸引作動で、ノズル内に負圧が導入されるようにしたことを特徴とするシーラガンにおける液だれ防止装置を提起し、
また、これに併せて、先端側に液材料を吐出するノズルを装備し、基端側に液材料を導入する導入管が接続する吐出筒をボディに支持せしめ、そのボディに、把持部を設けるとともに、その把持部と共に握り込める握り部材を、握り込みで把持部に沿う位置に動かし、握り込みの解放で、復元バネにより把持部から離れた位置に回動または移動するよう軸支し、吐出筒の内部には、導入管側と吐出筒の先端側との連通を断・接制御する弁機構を、収蔵せしめ、かつ、その弁機構の開弁・閉弁の作動を、握り込みによる握り部材の回動で開弁し、握り込みの解放による握り部材の復元作動により閉弁するよう、握り部材の回動または移動動作に連動せしめてなるシーラガンにおいて、吐出筒に、シリンダとこれに出入自在に嵌合するピストンとからなるポンプを、組み付け、該ポンプを、前記握り部材に対し、その握り部材が握り込まれたときの回動でポンプが引き込まれて吸引作動を行い、握り部材の握り込みが解放されたときの握り部材の復元作動でピストンが押し込まれて吐出作動を行うよう、連繋機構を介し連繋せしめ、かつ、該ポンプの吸引・吐出口を、吐出筒の先端側のノズルの内腔に位置せしめ、握り部材の握り込みを放して液材料の吐出を停止せしめたときに、握り部材の復元回動によるポンプの吐出作動で、ノズル内に正圧が導入されるようにしたことを特徴とするシーラガンにおける液だれ防止装置を提起し、
また、これに併せて、吐出筒に付設するシリンダとこれに出入自在に嵌合するピストンとからなるポンプを、吐出筒の外周の下面側に軸芯線が吐出筒と並列するよう配位して吐出筒に組み付け支架し、該ポンプのピストンを、吐出筒の下面側に配位した連繋機構を介して握り部材に連繋し、ポンプの吸引・吐出口を吐出筒の先端側のノズルの内腔に位置せしめることを特徴とする前記記載のシーラガンにおける液だれ防止装置を提起し、
また、これに併せて、吐出筒に付設するシリンダとこれに出入自在に嵌合するピストンとからなるポンプを、吐出筒の外周側で上面側に、軸芯線が吐出筒と並列するよう配位して吐出筒に組み付け支架し、該ポンプのピストンを吐出筒の上面側に配位した連繋機構を介し握り部材に連繋し、ポンプの吸引・吐出口を吐出筒の先端側のノズルの内腔に位置せしめることを特徴とする前記記載のシーラガンにおける液だれ防止装置を提起し、
また、これに併せて、ポンプの吸引・吐出口を吐出筒の先端側のノズルの内腔に対し接続せしめる接続管の先端側を、パイプ状に形成して、ノズル内に同軸に嵌挿し、先端開口をノズル内に連通させることを特徴とする前記記載のシーラガンにおける液だれ防止装置を提起し、
また、これに併せて、吐出筒の先端側に圧力調整器を組み付け、この圧力調整器を、ポンプの吸引・吐出口に接続する接続管の管路に接続して、その接続管を吐出筒先端のノズルの内腔に対し連通せしめることを特徴とする前記記載のシーラガンにおける液だれ防止装置を提起し、
また、これに併せて、吐出筒に付設するシリンダとこれに出入自在に嵌合するピストンとからなるポンプを、吐出筒内に同軸状に配位し、該ポンプのシリンダの外周側を吐出筒の内周側に固定して吐出筒内に組み付け、ポンプの吸引・吐出口をノズルの内腔に対し開口させることを特徴とする前記記載のシーラガンにおける液だれ防止装置を提起し、
また、これに併せて、吐出筒に付設するシリンダとこれに出入自在に嵌合するピストンとからなるポンプのピストンに連繋する作動ロッドに、ピストンを押し込む方向に作動さすよう付勢するバネを、握り部材の握り込みにより連繋機構を介し作動ロッドが引き抜き方向に動く作動で圧縮されるように組み付け、握り部材の握り込みの解放時に、このバネのバネ圧により握り部材が復元回動または復元移動するようにしたことを特徴とする前記記載のシーラガンにおける液だれ防止装置を提起し、
また、これに併せて、吐出筒に付設するシリンダとこれに出入自在に嵌合するピストンとからなるポンプのピストンに連繋する作動ロッドに、ピストンを引き出す方向に作動さすよう付勢するバネを、作動ロッドが、握り部材の握り込みにより連繋機構を介し押し込み方向に動く作動で圧縮されるように組み付け、握り部材の握り込みの解放時に該バネの圧縮されたバネ圧により握り部材が復元回動または復元移動するようにしたことを特徴とする前記記載のシーラガンにおける液だれ防止装置を提起し、
また、これに併せて、吐出筒に付設するシリンダとこれに出入自在に嵌合するピストンとからなるポンプを、吐出筒内に同軸状に配位し、そのポンプのシリンダと吐出筒の内周面との間に液材料の流路を形成して、シリンダを吐出筒内に組み付け、そのポンプの吸引・吐出口を、ノズルの内部の空間に対し開口し、ピストンに連繋する作動ロッドを、握り部材に対し、該握り部材の握り込みによる回動または移動と復元作動によりピストンに吸引及び吐出の作動を行わすよう、吐出筒の外周側に配設せる連繋機構を介し連繋し、ピストンには、シリンダに対する出入動作により前記液材料の流路と導入管との連通を断・接する弁機構を組み込み、該弁機構により導入管と吐出筒の先端側との連通を断・接制御せしめることを特徴とする前記記載のシーラガンにおける液だれ防止装置を提起し、
さらに、これに併せて、吐出筒の先端側のノズルの先端に形成する先端開口の口径ｄ１を、ノズルの内径より小径となる口径に形設し、かつ、その先端開口の口径ｄ１がノズル内腔に開口せしめるポンプの吸引・吐出口の口径ｄ２に対し、ｄ１≦ｄ２の関係となるようノズルの先端開口の口径ｄ１を形設することを特徴とする前記記載のシーラガンにおける液だれ防止装置を提起するものである。
【発明の効果】
【００１３】
本発明手段によれば、シーラガンによる液材料の塗布作業・充填作業において、握り部材の握り込みを放して、握り部材を復元バネにより復元作動させて、その復元作動により弁機構を閉としてノズルと導入管との連通を遮断し、ノズルからの液材料の吐出を停止させたときに、吐出筒に付設したポンプが、握り部材の復元作動に連動して作動し、ポンプ作動を行い、それによる吸引圧または吐出圧が、吐出筒の先端側のノズル内に導かれ、作用するようになるので、握り部材の握り込みを放して液材料の吐出を停止させたときに、ノズルの先端部に付着して垂れ下がるように生じてくる液材料の液だれを、このノズル内に導かれる吸引圧・吐出圧によって、ポンプのシリンダ内に吸い込むか、ノズルの筒先から吹き飛ばすようになって、ノズルの先端部から消失させるので、液だれの現象を確実に防止し得るようになる。
【図面の簡単な説明】
【００１４】
【図１】従前のシーラガンの縦断した側面図である。
【図２】改善策を施したシーラガンの縦断側面図である。
【図３】同上シーラガンの吐出筒の先端部分の拡大した縦断側面図である。
【図４】別の改善策を施したシーラガンの、吐出筒の部分の縦断した側面図である。
【図５】同上シーラガンの吐出筒の先端部の拡大した縦断側面図である。
【図６】本発明手段を実施せるシーラガンの、握り部材の握り込みを解放した状態時における縦断側面図である。
【図７】同上シーラガンの、握り部材の握り込みを行った状態時における縦断側面図である。
【図８】本発明手段の別の実施例の、握り部材を解放した状態時における縦断側面図である。
【図９】同上実施例の、握り部材を握り込んだ状態時における縦断側面図である。
【図１０】本発明手段の、さらに別の実施例の、握り部材を握り込んだ状態時における縦断側面図である。
【図１１】同上実施例の吐出筒の先端部分の拡大した横断した平面図である。
【図１２】本発明手段の、さらに異なる実施例の側面図である。
【図１３】同上実施例の、吐出筒の先端部分の拡大した縦断側面図である。
【図１４】同上実施例の、吐出筒の先端部分の拡大した横断平面図である。
【図１５】さらに別の実施例の、握り部材が握り込まれた位置に回動または移動して、弁機構を開弁させている状態時の縦断側面図である。
【図１６】同上実施例の同上状態時の斜視図である。
【図１７】同上実施例の同上状態時における要部の拡大縦断側面図である。
【図１８】同上実施例の同上状態時における弁機構部分の拡大縦断側面図である。
【図１９】同上実施例の同上弁機構部分に組み込まれる弁座部材の斜視図である。
【図２０】同上実施例の、吐出筒内に組み込まれるポンプのピストンの斜視図である。
【図２１】同上実施例の、握り部材の握り込みを放して、握り部材を復元バネにより復元回動させ、弁機構を閉弁させた状態時の縦断側面図である。
【図２２】同上実施例の同上状態時の斜視図である。
【図２３】同上実施例の同上状態時における要部の拡大縦断側面図である。
【図２４】本発明手段のさらに異なる実施例の斜視図である。
【図２５】同上実施例の縦断側面図である。
【図２６】同上実施例の吐出筒の先端部分の縦断面図である。
【図２７】同上実施例の作用の説明図である。
【図２８】本発明手段のさらに異なる実施例のポンプのピストンが引き込まれた状態時の縦断側面図である。
【図２９】同上実施例の要部の、ポンプのピストンが押し込まれた状態時の縦断側面図である。
【図３０】同上実施例の、流路保持部材の斜視図である。
【発明を実施するための形態】
【００１５】
次に本発明の実施の態様を、実施例につき図面に従い詳述する。
【実施例１】
【００１６】
図６は、本発明を実施せるシーラガンの、握り部材である握りレバーの握り込みを放した状態における縦断側面図、図７は、同上のシーラガンの、握り部材を握り込んだ状態時の縦断側面図を示している。
【００１７】
図において、Ａはシーラガンの全体、１は吐出筒、１０は吐出筒１の先端側に設けたノズル、２は吐出筒１内に組み込んだ弁機構で、吐出筒１の基端側に接続する拡径した筒状に形成せる本体ボディａ内に収蔵せしめてある。３はシーラガンＡの吐出筒１の基端側に接続する本体ボディａに一体に連続させて設けた把持部、４はその把持部３に沿わせてシーラガンＡの吐出筒１の基端部が接続する本体ボディａに軸支した握り部材、ＰはシーラガンＡの吐出筒１に付設したシリンダ５０とピストン５１よりなるポンプ、６は前記ポンプＰのピストン５１と前述の握り部材４とを連繋する連繋機構を示す。
【００１８】
シーラガンＡは、先端側にノズル１０を設けた吐出筒１の基端側を、その吐出筒１より大径の筒状に形成した本体ボディの内部空間に接続し、この本体ボディａの内部空間には、塗布剤・充填剤の液材料を導入する導入管３０を接続し、かつ、本体ボディａ内には、導入管３０と吐出筒１の先端のノズル１０との連通を、断・接する弁機構２を収蔵し、かつ、この本体ボディａに把持部３を一体に連続させて形設し、この把持部３に沿わせて握り部材４を本体ボディａに連結軸４０により軸支し、この握り部材４を、前述の本体ボディａ内に収蔵せしめた弁機構２に対し、該握り部材４を把持部３と一緒に握り込んで把持部３に沿う状態位置に回動または移動させると、弁機構２が開となり、握り部材４の握り込みを放して、握り部材４が復元バネ（図示省略）により、把持部３から離れた開いた位置に復元作動すると、弁機構２が閉となるように連繋手段（図示省略）を介し連繋させ、これにより、握り部材４を握り込むと、導入管３０と吐出筒１先端のノズル１０との連通が開となって、導入管３０を介して吐出筒１内に加圧されて送給されてくる液材料が、吐出筒１の先端側のノズル１０から吐出されるようになり、握り部材４を放すと、導入管３０と吐出筒１先端のノズル１０との連通が遮断されて、ノズル１０からの液材料の吐出が停止するようにしている通常のシーラガンであって、図１に示している従前のシーラガンと変わりない構成のものであり、把持部３は、吐出筒１に対し接続する導入管３０を包み込むように、かつ、本体ボディａと一体に連続するように成形してある。
【００１９】
ポンプＰは、シリンダ５０とこれに摺動により出没自在に嵌合するピストン５１とからなり、シリンダ５０に対しピストン５１が押し込まれることで、シリンダ５０内のエアーを、該シリンダ５０の先端側に筒状に形設した吸引・吐出管５ａから吐出し、ピストン５１が引き出されることで、吸引・吐出管５ａからエアーをシリンダ５０内に吸引する通常のシリンダ型のポンプであり、先端側の吸引・吐出管５ａが前方に位置し、基端側のピストン５１が後方に突出する姿勢として、シーラガンＡの吐出筒１に並列させて配位し、シリンダ５０を取付部材５２により吐出筒１に組み付け支架せしめてある。そして、シリンダ５０の先端側の吸引・吐出管５ａには、接続管５３を介して、シーラガンＡの吐出筒１の先端に接続するノズル１０の管壁に開設した連通口Ｏに接続し、ピストン５１のシリンダ５０に対する進退作動によるポンプ作動により、ノズル１０内に対し負圧または正圧が作用するようにしてある。
【００２０】
連繋機構６は、このポンプＰの吸引・吐出のポンプ作動が、前述の握り部材４の回動作動に連動して行われるように、ポンプＰのピストン５１と握り部材４とを連繋する機構で、ピストン５１の基端側に連結して、吐出筒１の基端側に取付部材５２により組み付け支持されたガイド筒６０にガイドされて吐出筒１に平行して前後に動くピストンの作動ロッド６１と、この作動ロッド６１に連結軸６２を介し連結する連繋杆６３と、この連繋杆６３に先端側が長穴により傾斜回動が許容された状態で連繋する第１リンク杆６４と、基端側が前記第１リンク杆６４の基端側に設けた連繋軸６５と長穴を介して連繋し、基端側が前述の握り部材４と一体的に連結する第２リンク杆６６と、からなり、握り部材４が図７にあるように、把持部３に沿う位置に回動すると、この握り部材４と一緒に第２リンク杆６６が後方に回動することで、第１リンク杆６４が、後方に引き寄せられ、これにより作動軸６１が後方にスライドしてピストン５１を引き出す方向に動かし、シリンダ５０に吸引作動を行わせ、握り部材４の握り込みを放して、該部材４が復元バネにより、拡径部１ａの下面にストッパ４１を衝合させて停止する図６の状態位置まで復元回動してくると、この回動により、第２リンク杆６６が前方に回動して第１リンク杆６４を前方に押し出し、作動ロッド６１を前方に動かしてピストン５１を押し込み、シリンダ５０に吐出作動を行わせるようにしている。
【００２１】
この実施例のポンプＰは、上述の連繋機構６により握り部材４を握り込んでいる状態時に、ピストン５１が引き出されている位置を占め、握り部材４の握り込みを開放したときに、握り部材４が復元回動していく作動でピストン５１が押し込まれて、吐出作動を行うように設定されている。
【００２２】
従って、握り部材４を放して、液材料の吐出を停止させると、ポンプＰが、吐出筒１の先端のノズル１０内に、エアーを吹き込んで、ノズル１０に付着して垂れ下がる液材料を吹き出す圧風によりノズル１０から吹き飛ばし、ノズル１０の先端に付着して残る液材料の液だれを消失させるようになる。
【実施例２】
【００２３】
図８及び図９は、第２の実施例を示している。この実施例は、前述の第１の実施例のものが、握り部材４の握り込みを放して液材料の吐出を停止させたときの、握り部材４の復元回動の作動で、ポンプＰが、ノズル１０の内部にエアーを吹き込むように、正圧が作用するようにしているのに対し、握り部材４の握り込みを放して液材料の吐出を停止させたときに、ポンプＰがノズル１０内腔に対し、吸引作動を行うよう負圧が作用するようにしている例である。
【００２４】
図において、Ａはシーラガンの全体を示し、１はそのシーラガンＡの吐出筒、１０は吐出筒１の先端側に設けたノズル、ａは中空の筒状に形成して吐出筒１の基端側に接続する本体ボディ、２はその本体ボディａ内に収蔵せる弁機構、３は本体ボディａに連続させて設けた把持部、３０は吐出筒１内に液材料を導くよう設けた導入管、４は本体ボディａに、連結軸４０を支点軸として前後に回動するよう把持部３に沿わせて軸支した握り部材、ＰはシーラガンＡの吐出筒１の外周側に並列配位して取付部材５２により吐出筒１の外周側に組み付けたポンプ、６はこのポンプＰとシーラガンＡの握り部材４とを連繋する連繋機構を示す。
【００２５】
これらは、前述の実施例１のものと同様の構成内容のものであり、ポンプＰは、シリンダ５０とこれに出入自在に嵌合するピストン５１とからなる通常のポンプであり、そのシリンダ５０の先端側に形設した吸引・吐出管５００の先端側は、接続管５３を介して、吐出筒１先端のノズル１０の管壁に開設した連通口Ｏに接続させてあり、また、連繋機構６は、前記ポンプＰのピストン５１の基端側に連結する作動ロッド６１と、この作動ロッド６１に連繋杆６３を介して連繋する第１リンク杆６４と、握り部材４に一体的に設けて、この第１リンク杆６４に連繋軸６５を介し連繋する第２リンク杆６６とにより構成している。
【００２６】
しかし、この例においては、握り部材４の握り込みを解放させたときの、握り部材４の復元回動によりポンプＰにポンプ作動を行わせるに際し、前述の実施例１のものでは、吐出作動が行われるようにしているのに対し、逆に、吸引作動が行われるようにしていることから、連繋機構６の、握り部材４に一体的に連結させて装設する第２リンク杆６６は、握り部材４の連結軸４０を上方に越した部位を上方に延長するように、本体ボディａの上面側に突出させた態様として握り部材４に装設してある。
【００２７】
そして、ポンプＰと連繋機構６とも、吐出筒１の上面側に配位して、取付部材５２により吐出筒１に対して取付支架してあって、これにより、握り部材４の握り込みを解放したときの、握り部材４に連結支持せしめた第２リンク杆６６の動きが、後方に回動していく動きとなるようにして、連繋機構６を介しポンプＰのピストン５１を引き出す方向に動かし、ポンプＰに吸引作動を与えるようにしている。
【００２８】
従って、この実施例のシーラガンは、握り部材４を放して、液材料の吐出を停止させると、ポンプＰが吸引作動を行って、吐出筒１のノズル１０の先端側に生じてくる液だれの液材料を、シリンダ５０内に引き込み、ノズル１０先端に生ずる液だれを消失させるようになる。
【実施例３】
【００２９】
図１０・図１１は、さらに別の実施例を示している。この例は、シーラガンＡに、ポンプＰを、握り部材４の握り込みを解放したときの復元回動の動作により、連動して作動するように組み付け付設しておいて、握り部材４の握り込みを解放して、シーラガンＡによる液材料の吐出を停止させたとき、この組み付け付設したポンプＰに、吸引または、吐出の作動を行わせ、それによる負圧または正圧を、シーラガンＡの吐出筒１の先端のノズル１０内に作用させて、ノズル１０の先端側に付着して生成してくる液材料の液だれを、吸引または押し出して、消失させるようにするときの、ポンプＰのシリンダ５０の先端側に設けられる吸引・吐出管５ａと、ノズル１０の内腔との接続・連通手段について、変更を加えている例である。
【００３０】
即ち、ポンプＰは、吐出筒１の外周側に、取付部材５２により組み付け、シリンダ５０の先端側の吸引・吐出管５ａに、接続管５３を接続し、この接続管５３をノズル１０に接続することについては、前述の実施例１、２のものと同様であるが、接続管５３はそれの先端側を、ノズル取付部１００に対し、図１１に示しているように、ノズル１０の基端側を外周側から同軸状に包むように接続して、ノズル１０に対する連通が、ノズル１０の内周面と接続管５３の外周面との間隙を介して行われるようにしている例である。
【００３１】
この実施例で示す接続管５３とノズル１０との接続連通手段は、握り部材４の握り込みを放して、液材料の吐出を停止させたときの、握り部材４の復元回動によるポンプＰのポンプ作動が、吸引作動となるように設定したシーラガンＡに適用した例を示しているが、連繋機構６を実施例１のように、握り部材４が復元回動していく作動で、作動ロッド６１を押し出し、吐出作動を行うように組み代えたシーラガンに適用した場合においても機能・作用に変わりはない。
【実施例４】
【００３２】
次に、図１２乃至図１４は、さらに別の実施例を示している。この例は、シーラガンＡに、握り部材４の復元作動の動作により吐出または吸引作動するポンプＰを組み付け付設し、吐出筒１の先端のノズル１０の内部に対しポンプＰの作動による圧力を作用させる手段において、ポンプＰのピストン５１の作動で生成する流体の吐出圧、または吸引圧を、組み付け付設した圧力調整器７により所望に調整して設定し得るようにしている例である。
【００３３】
図において、符号７により指示しているのが圧力調整器で、市販品のスピードコントローラを用いている。そして、この圧力調整器７を、吐出筒１を挟んでポンプＰのシリンダ５０と対向するように配位して吐出筒１のノズル取付部１００に組み付け、シリンダ５０の吸引・吐出管５００に接続する接続管５３を、ノズル取付部１００の内腔を横切るように延長して、圧力調整器７に接続し、この接続管５３の途中で、ノズル取付部１００内に位置する部位に、開口ｋを開設し、その開口ｋに、ノズル１０の内腔に同軸上に位置させて嵌挿した吐出管５３０の基端側を臨ませることで、圧力調整器７により調整されたポンプＰの吐出圧力・吸引圧力が、ノズル取付部１００の内腔と、吐出管５３０との両方に作用していくようにしている。
【００３４】
この手段によれば、ポンプＰの作動より、ノズル１０の内部に対して作用するエアーの圧力が、圧力調整器７により所望の圧力に調整されるようになる。
【実施例５】
【００３５】
図１５乃至図２３は、さらに別の実施例を示している。この実施例は、吐出筒１に付設するポンプＰを、吐出筒１内に組み込むことで内蔵型として吐出筒１に付設している例である。
【００３６】
図において、１は先端側にノズル１０を装備せしめて銃身状に形成してある吐出筒である。該吐出筒１は、別体に成形してある本体ボディａの上端側に形設した軸筒部ａ’の内周側に該吐出筒１の筒壁の外周側を嵌装することで、この本体ボディａに一体的に組み付け支持せしめてある。そして、本体ボディａの内部に抱き込ませてある導入管３０とは、該吐出筒１の筒壁の、前述の軸筒部ａ’の内周面に対向する部位に開設した連通口８０を介して接続連通させてあり、導入管３０からこの連通口８０を経て導入される液材料が、先端側のノズル１０から吐出されるようにしている。
【００３７】
２は、導入管３０の吐出筒１先端のノズル１０に対する連通を開・閉制御する弁機構である。この弁機構２は、本体ボディａに、把持部３の前面側に配位して支軸４０により軸支し、把持部３とともに握り込めるように設けた握り部材４を、握り込むことで、図１７にあるように把持部３に沿う位置に回動させたときに、これに連動して開に作動して、液材料が導入管３０から吐出筒１内に送り込まれて吐出筒１先端のノズル１０から吐出していくようにし、握り部材４が、握り込みの解放により復元バネｂの作動で、図２３にあるよう把持部３から離れた位置に回動または移動したときに、その回動または移動動作に連動して、閉に作動し、液材料の吐出筒１内への流入を止め、吐出筒１先端のノズル１０からの液材料の吐出を停止させるようにする弁機構である。
【００３８】
この弁機構２は、吐出筒１内の、前述の筒壁に開設した連通口８０の内側位置に、図１９にあるように、内外に貫通する透孔８１が周方向に多連に並列して設けられているリング状の弁座８２を、固定して装設し、このリング状の弁座８２の内周側に、内部に吐出筒１の内部空間に対し連通穴８３を介し空室８４が形成され周壁に前記空室８４と連通する弁口８５が開設してある弁軸８を、吐出筒１の軸方向に可動に配設し、この弁軸８の軸方向の動きで、弁口８５が前記リングの弁座８２と対向する位置を占めることで、導入管３０と吐出筒１内との連通を開とし、弁口８５が弁座８２からずれた位置を占めることで、閉となるようにしている。
【００３９】
そして、この弁軸８には、後端側に、吐出筒１の後方延長部内において吐出筒１の軸方向に可動に収蔵せしめた作動ロッド６１を、一体に連続させて装設し、この作動ロッド６１を握り部材４に対し、握り部材４の支軸４０を上方に越した部位に、一体に連結させて設けたリンク杆６７と、そのリンク杆６７の突出端部と前記作動ロッド６１とを連結する連結軸６８とからなる連繋機構６を介して連繋し、かつ、作動ロッド６１には後方に引き出す方向に付勢するバネｂを、作動ロッド６１の後端に設けたバネ受座６９と吐出筒１の内面側に固定して設けたバネ受座７０との間に設けて作用させ、握り部材４を握り込んだときには、リンク杆６７が支軸４０中心に前方に回動することで、弁軸８をバネｂの付勢に抗して前方に押し込んで、弁口８５が弁座８２に対向する開の位置を占め、握り部材４の握り込みを解放したときは、押し縮めた前述のバネｂの復元力により、作動ロッド６１とこれに連結する弁軸８を後方に動かし、これにより弁軸８に設けた弁口８５が弁座８２からずれた位置を占める閉の状態とし、かつ、このとき、握り部材４を、前述のバネｂを復元バネとして、そのバネｂの復元力により、把持部３から離れて開いた位置に復元回動させるようにしてある。
【００４０】
Ｐは、シーラガンＡが、握り部材４の握り込みを解放して、握り部材４の復元回動の動作により弁機構２を閉に作動させて、吐出筒１の先端のノズル１０からの液材料の吐出を停止させたときに、ノズル１０内に正圧または負圧を作用させるために吐出筒１に付設せるポンプであり、シリンダ５０とピストン５１からなる通常のポンプであるが、この例においては、それのシリンダ５０は、吐出筒１内の先端側の中心部位に、吐出筒１と同軸状に配位して、それの外周面に、図１８・図２０に示しているよう前後に透通する液材料の流路９０を具備せしめた筒状の流路保持部材９を嵌装し、この流路保持部材９の筒壁の内周面側に、ピストン５１を保持してピストンを構成している弁軸８の先端側を摺動自在に嵌装することで、この流路保持部材９の内周面をもってシリンダ５０に構成している。
【００４１】
そして、このシリンダ５０を構成する筒状の流路保持部材９の内周面の前端側には、吸引・吐出管５００の拡径した基端部を嵌着して、その吸引・吐出管５００の先端側を、吐出筒１のノズル１０内に突入させ、先端開口がノズル１０の内腔で先端に寄る部位において開口するようにすることで、吐出筒１の内部にこのポンプＰを組み込んでいる。
【００４２】
この実施例のシーラガンＡは、握り部材４を握り込んで図１７の状態とすると、握り部材４の回動作動に連動して作動ロッド６１が、バネｂを圧縮しながら前方（図において左方）に押し込まれ、これと一体に弁軸８が押し込まれることで、弁機構２の弁口８５が弁座８２と対面する位置に動き、弁機構２を開とした状態となって、導入管３０で導かれる液材料を、図１８において太線の矢印に示しているように連通口８０から弁座８２→弁口８５→空室８４→連通穴８３→流路９０を経てノズル１０に流し、ノズル１０の先端開口から吐出するようになる。
【００４３】
この状態から握り部材４の握り込みを解放すると、圧縮されていたバネｂの復元力により作動ロッド６１が後方に動き、これと一緒に弁軸８が動くことで、弁口８５が弁座８２と対面する位置からずれて閉ざされ、弁機構２を閉とし、液材料の吐出筒１内への流入を遮断し、吐出筒１先端のノズル１０の先端開口１０ａからの液材料の吐出を停止させる。
【００４４】
このとき、弁軸８の先端側に形成したピストン５１が、バネｂの復元力により後方に動く弁軸８とともに後方に動くことで、シリンダ５０から引き出されるように作動して、ポンプＰを吸引作動させ、それによる吸引圧を、吐出筒１の先端のノズル１０内に作用させる。そして、この吸引圧により、液材料の吐出を停止させたときに、ノズル１０の先端に付着して垂れ下がるように生じてくる液材料の液だれを、ノズル１０内を経て、シリンダ５０に引き込み、ノズル１０の先端部周辺からこの液だれを消失させるようになる。
【００４５】
この実施例のポンプ内装型のシーラガンは、握り部材４を放したときに、ポンプＰが吸引作動を行うようにしているが、握り部材４を握り込み回動させたときの、作動ロッド６１の作動方向をこの例とは逆にし、かつ、その作動ロッド６１の作動の際に、バネｂが引き伸ばされるようにしておいて、握り部材４を放したときに、それの復元回動でポンプＰが吐出作動を行うようにしたときは、液材料の吐出を停止させたときに、ノズル１０内に対しポンプＰによる正圧が作用し、液だれをエアーにより吹き飛ばして消失させるようになる。
【実施例６】
【００４６】
図２４乃至図２７は、さらに異なる実施例を示している。この例は、吐出筒１の先端部のノズル１０の先端開口１０ａの口径ｄ１を、ノズル１０の内部空間に配置するポンプＰの吸引・吐出管５ａの先端の吸引・吐出口の口径ｄ２に対し、ｄ１≦ｄ２となるよう同径乃至小径に形成して、吐出筒１に組み付けたポンプＰが、握り部材４の握り込みの解放によりピストン５１の後退で吸引作動を行ったときに、吐出筒１の先端のノズル１０の内腔で、そのノズル１０の先端開口１０ａに近接する部位に、負圧の内圧を発生せしめて、その内圧により、ノズル１０の先端部に付着してつらら状に垂れ下がる液だれのシーラーＳの、ノズル１０の先端部に付着している基端部分を、ノズル１０内に引き込んで、つらら状に垂れ下がるシーラーＳを基端部において千切るように切り放して、つらら状のシーラーＳをノズル１０から分離させ、落下していくようにしている例である。
【００４７】
この例は、吐出筒１の先端側のノズル１０の先端開口１０ａ部分とノズル１０内腔に位置するポンプＰの吸引・吐出口の部分との構成が、前述の実施例５のものと変化しているだけで、その余の構成は基本的には実施例５のものと変わりがないものである。
【００４８】
図面に従い具体的に説明すれば、図２４及び図２５に示しているように、先端側にノズル１０を装備せしめた銃身状の吐出筒１の基端側を、内部にシーラー（液材料）Ｓの導入管３０が装備された把持部３の上端側に一体に連続させて成形した円筒状の軸筒部ａ’の内周側に嵌挿して把持部３に一体的に支持せしめ、その吐出筒１内には、弁機構２を組み込み、その弁機構２は、把持部３の前面側に軸支せる握り部材４を把持部３と共に握り込むことで、リンク杆６７と連結軸６８よりなる連繋機構６を介し、連繋する作動ロッド６１とこれに一体的に連結する弁軸８とが、バネｂを圧縮させながら前方に押し込まれることで、弁口８５が開くよう開弁作動し、また、握り部材４の握り込みを解放することで、作動ロッド６１と弁軸８とがバネｂの復元力で後方に押し戻されることにより弁口８５を閉じて閉弁作動するよう構成し、これにより、握り部材４を握り込むと弁機構２が開弁作動して、把持部３内の導入管３０で導かれてくる液材料のシーラーＳが、連通口８０から開弁した弁口８５→空室８４→弁口８５→流路９０を経て吐出筒１の先端のノズル１０内に流れて、先端開口の口径ｄ１から吐出され、握り部材４の握り込みを解放すると、作動ロッド６１と弁軸８とが、圧縮されていたバネｂの復元力により後方に押し戻されることで弁口８５が閉じるよう弁機構２が閉弁作動して、吐出筒１先端のノズル１０の先端開口の口径ｄ１からのシーラーの吐出を停止させるようにしている。
【００４９】
そして、吐出筒１に組み込むピストン５１とシリンダ５０よりなるポンプＰは、それのピストン５１にあっては、前述の弁機構２の弁軸８の前端側に一体的に組み付けて装備せしめ、シリンダ５０にあっては、吐出筒１の前端側に、流路９０を筒壁の肉部内に形成して、内周面が弁軸８をガイドするスリーブとなるよう一体に成形してある流路保持部材９の内周面をもってシリンダに構成して装備せしめることで、握り部材４の握り込みとその解放により該握り部材４が回動または移動する作動に連動して、ピストン５１が往動・復動してポンプ作動を行うこのポンプＰを吐出筒１内に組み込ませてあり、また、先端開口でポンプＰの吸引・吐出口の口径ｄ２を形成する吸引・吐出管５００は、ノズル１０の内部に深く突入させて、それの先端の吸引・吐出口の口径ｄ２が、ノズル１０の先端開口の口径ｄ１の直ぐ手前に位置するようにしている。
【００５０】
しかして、吐出筒１先端のノズル１０は、それの先端部に、先端の開放口を塞ぐ堰板状のヘッドを設けて、これに、ノズル１０の内径より小径の口径ｄ１とした先端開口１０ａを開設し、かつ、この開設した先端開口１０ａの口径ｄ１が、ノズル１０内に位置するポンプＰの吸引・吐出管５ａの先端開口の吸引・吐出口の口径ｄ２に対し、ｄ１≦ｄ２の関係となるように開設している。
【００５１】
そして、これにより、握り部材４の握り込みを解放して、バネｂの復元力により弁機構２を閉に作動させ、シーラーＳの吐出を停止させたとき、これに、連動してポンプＰのピストン５１がバネｂの復元力により後退してポンプＰに吸引作動を行うことで、ノズル１０の内腔で、先端開口の口径ｄ１に近い部位に、強い負圧の内圧が発生して、その内圧により、図２６で鎖線に示しているように、シーラーＳの吐出を停めたときにノズル１０の先端部からつらら状に垂れ下がる液だれの基端部を、図２７にあるように、ノズル１０内に強く吸い込んで、液だれを基端部において切り離して、液だれがノズル１０から分離して落下していくようにしている。
【実施例７】
【００５２】
図２８乃至図３０は、さらに別の実施例を示している。この例は、上述の図１５乃至図２３に示す実施例５の変形例であり、その構成態様は、基本的には上述の実施例と変わりがないので、同じ構成部材について同じ符号を付して構成の詳細な説明は省略する。
【００５３】
この例は、上述の実施例に対し、弁機構２の構成をシンプルにし、握り部材４の握り込みを解放して閉弁したときの、弁機構２を介してのシーラー（液材料の塗布剤）の漏れ出しを少なくし、またポンプＰのピストン５１が、シリンダ５０に対し出入作動を行い、シリンダ５０の内部空間の容積を拡縮させたときに、容積差を大きくして、閉弁時におけるシーラーの吸引量を多くしている例である。
【００５４】
この例では、流路保持部材９の内壁面で形成したシリンダ５０に嵌入する弁軸８前端に形設したピストン５１の前端側の端面の中心部位に、軸状の突起ｔを設け、吸引・吐出管５ａの基端側には、前記突起ｔが密に嵌入する軸穴状の空室ｕを形設して、ピストン５１がシリンダ５０内に押し込まれたときには、突起ｔにより吸引・吐出管５ａの基端の空室ｕまで密に塞ぎ、閉弁時にピストン５０が引き込まれたときには、シリンダ５０の内容積を、軸穴状の空室ｕまで拡げ、これによりシーラーの吸引効果を向上させるようにしている。
【００５５】
また、流路保持部材９内に形設する流路９０は、図３０に示しているように同上部材９の上周側にだけ設けて、これにより、吐出筒１の底面側に開設される連通口８０と流路９０との間の距離を大きくし、弁機構２の閉弁時に、弁軸８の外周面に密接して閉ざされている流路９０からのシーラーの漏れ出しを確実に防止するようにしている。
【符号の説明】
【００５６】
Ａ    シーラガン
Ｏ    連通口
Ｐ    ポンプ
Ｓ    シーラー
ａ    本体ボディ
ａ’  軸筒部
ｂ    復元バネ
ｄ１  先端開口の口径
ｄ２  吸引・吐出口の口径
ｋ    開口
ｔ    突起
ｕ    空室
ｃｖ  チェッキ弁
ｓｖ  ストップ弁
１    吐出筒
１０    ノズル
１０ａ  先端開口
１００    ノズル取付部
１１    挟み板
１２    弾性材
２    弁機構
３    把持部
３０    導入管
４    握り部材
４０    支軸
４１    ストッパ
５ａ  吸引・吐出管
５０    シリンダ
５１    ピストン
５２    取付部材
５３    接続管
５３０    吐出管
６    連繋機構
６０    ガイド筒
６１    作動ロッド
６２    連結軸
６３    連繋杆
６４    第１リンク杆
６５    連繋軸
６６    第２リンク杆
６７    リンク杆
６８    連結軸
６９    バネ受座
７    圧力調整器
７０    バネ受座
８    弁軸
８０    連通口
８１    透孔
８２    弁座
８３    連結穴
８４    空室
８５    弁口
９    流路保持部材
９０    流路
【図１】
2011189236.tif 000003
【図２】
2011189236.tif 000004
【図３】
2011189236.tif 000005
【図４】
2011189236.tif 000006
【図５】
2011189236.tif 000007
【図６】
2011189236.tif 000008
【図７】
2011189236.tif 000009
【図８】
2011189236.tif 000010
【図９】
2011189236.tif 000011
【図１０】
2011189236.tif 000012
【図１１】
2011189236.tif 000013
【図１２】
2011189236.tif 000014
【図１３】
2011189236.tif 000015
【図１４】
2011189236.tif 000016
【図１５】
2011189236.tif 000017
【図１６】
2011189236.tif 000018
【図１７】
2011189236.tif 000019
【図１８】
2011189236.tif 000020
【図１９】
2011189236.tif 000021
【図２０】
2011189236.tif 000022
【図２１】
2011189236.tif 000023
【図２２】
2011189236.tif 000024
【図２３】
2011189236.tif 000025
【図２４】
2011189236.tif 000026
【図２５】
2011189236.tif 000027
【図２６】
2011189236.tif 000028
【図２７】
2011189236.tif 000029
【図２８】
2011189236.tif 000030
【図２９】
2011189236.tif 000031
【図３０】
2011189236.tif 000032